(57)【要約】【課題】  従来、一般のエスカレーターは、転倒事故等を防止するための施策が十分ではなく、特に利用者保護の安全性に不足するものであった。【解決手段】  この問題を解決するため、一方の乗降口床板２Ａから他方の乗降口床板２Ｂへ、あるいはその逆方向にかけて移動して利用者を輸送する踏段４と、この踏段と同期して移動する手摺ベルト５とを備えた転倒事故防止形エスカレーター１において、前記手摺ベルト５の表面に、その移動方向を表示して前記エスカレーター１に乗り移る際のタイミングを図る目印となる方向表示マーク６Ａを複数個有する印刷シート６を貼り付けて設け、さらに前記乗降口床板２Ａと２Ｂの両方、あるいはいずれか一方の表面には案内表示を行う表示シート２ａを貼り付けて設けた構成としたのである。【選択図】図５
2018165214.tif 000002
【特許請求の範囲】
【請求項１】
一方の乗降口床板から他方の乗降口床板にかけて移動し、乗客を輸送する踏段と、この踏段と同期して移動する手摺ベルトとを備えたエスカレーターにおいて、前記手摺ベルトの表面にはその移動方向を表示して前記エスカレーターに乗り移る際のタイミングを図る目印となる方向表示マークを複数個有する印刷シートを貼り付けて設け、さらに前記乗降口床板の表面には案内表示等を行う表示シートを貼り付けて設けたことを特徴とする転倒事故防止形エスカレーター。
【発明の詳細な説明】
【技術分野】
【０００１】  本発明は、移動する踏段と手摺ベルトが傾斜路あるいは水平路を形成して乗客輸送を行う転倒事故防止形エスカレーターの構成に関する。
【背景技術】
【０００２】  従来、エスカレーターでの転倒事故を防止するものとして、手摺ベルト表面に印刷シートを貼付けて方向表示マーク、注意文言及び広告表示を行う構成が、例えば特許文献１のように、既に提案され権利化されている。【０００３】  この特許文献１記載の手摺ベルト用印刷シートは、世の中にかなり普及して人身事故、とりわけ転倒事故防止に顕著な効果を発揮している。
【先行技術文献】
【特許文献】
【０００４】
【特許文献１】特開２００６−３４７７６４号公報（登録第４９８９８６３号）
【発明の概要】
【発明が解決しようとする課題】
【０００５】  上記特許文献１に記載のものは、乗客の目の至近位置に存在する方向表示マークによりエスカレーターの移動方向や速度感が分かりやすくなって逆方向乗り込みや乗降タイミングの失敗が少なくなる効果があり、結果として転倒事故防止の実効果が高い評価を受けている。また、方向表示マークの間隔内に設けられた注意文言や広告表示部による安全、広告効果も評価されている。【０００６】  一方、最近のエスカレーター利用においては、上記の安全、広告効果にプラスして、そのエスカレーターを利用する地理不案内者の転倒事故に関係する「エスカレーター付近でのモタモタ行動」解消のための「利用者が知りたい・適切な進路案内サービス」という一段上の安全施策が望まれている。加えて、この「モタモタ行動」解消による施設内の通行混雑低減も狙いどころとされている。【０００７】  本発明の目的は、手摺ベルト表面に設けた方向表示マークと注意文言等表示部による安全、広告効果、それに乗降口床板表面に設けた案内用の表示シートによる案内サービスを行い、もって利用者の安全性向上に寄与する構成とした転倒事故防止形エスカレーターを提供することにある。
【課題を解決するための手段】
【０００８】  上記目的を達成するために、本発明は、一方の乗降口床板から他方の乗降口床板にかけて移動して乗客を輸送する踏段と、この踏段と同期して移動する手摺ベルトとを備えたエスカレーターにおいて、前記手摺ベルトの表面にはその移動方向を表示して前記エスカレーターに乗り移る際のタイミングを図る目印となる方向表示マークを複数個設けるとともに利用者向けの案内表示等を印刷した印刷シートを貼り付けて設け、さらに前記乗降口床板の表面には案内表示を行う表示シートを貼り付けて設けた転倒事故防止形エスカレーターとしたのである。
【発明の効果】
【０００９】  上記構成によれば、手摺ベルトの表面に設けられた印刷シートの方向表示マークによってエスカレーターの移動方向や速度感を視覚的に示すことで踏段への乗り込みタイミング取りの容易化、逆乗り込み防止を図る一方、前記乗降口床板の表面には案内表示等を行う表示シートを設けてエスカレーター付近での利用者のモタモタ行動の防止を図るなど、結果として手摺ベルトと乗降口床板の両表示によって安全な転倒防止形エスカレーターを提供するものである。
【図面の簡単な説明】
【００１０】
【図１】本発明の一実施形態を示す全体側面図。
【図２】本発明を説明する図１のＸ−Ｘ線に沿う部分断面図。
【図３】本発明を説明する図２のＹ−Ｙ線に沿う部分断面図。
【図４】本発明を説明する印刷シートの単体斜視図。
【図５】本発明を説明する全体斜視図。
【図６】本発明を説明する図５のＺ−Ｚ線に沿う部分断面図。
【発明を実施するための形態】
【００１１】  以下、本発明の転倒事故防止形エスカレーターの一実施の形態を図１〜図６に基づいて説明する。
【００１２】  本発明の転倒事故防止形エスカレーター１は、建屋２の上階床につながる乗降口床板２Ａとその下階床につながる乗降口床板２Ｂを備えて建屋２に装架される主フレーム３と、無端状に連結されて往路から復路にかけて反転して移動する多数の踏段４、この踏段４と同期して往路から復路にかけて反転して移動するものでその断面形状が平坦部５Ａとこれに連なる両縁の半円部５Ｂとで馬蹄形状をなす幅Ｗ１の手摺ベルト５と、この手摺ベルト５の長手方向に沿い、その平坦部５Ａ（幅Ｗ２）から半円部５Ｂにかけて接着固定（図示省略）される長尺の印刷シート６が設けられている。
【００１３】  また手摺ベルト５は、駆動歯車７の動力をチェーン８を介して駆動ローラ９等に伝達された動力によって摩擦駆動されるもので複路を案内ローラ１０、往路を欄干１１に案内され反転部１１Ａ、１１Ｂで折り返し反転して移動する構成となっている。
【００１４】  そして印刷シート６は、手摺ベルト５の全長に貼付けられるとともに、一例としてその表面層には移動方向を表示する方向表示マーク６Ａが、本発明の絶対的構成要件ではないが、目立ち易いように平坦部５Ａの幅Ｗ２いっぱいに印刷によって設けられ、さらに方向表示マーク６Ａは手摺ベルト５の全長方向に適宜の間隔Ｐをもって複数個設けられ、手摺ベルト５の反転部の半円周範囲である高さＨ（図１、図２）内に少なくても１個存在する間隔Ｐ（図４）をおいて複数個配置されている。そして、いま乗り込まんとする利用者（乗客）が転倒防止形エスカレーター１を見ると常に正面となる符号Ｈの範囲内に少なくても１個存在して、移動速度の速度感と動き方向を確実に視覚に訴えるという作用を発揮するものである。加えて、方向表示マーク６Ａの詳細は、印刷シート６の地色とは色が異なり（例えば黄色や白色）、そのマークも図２、図４に例示した円形に限らず大きめの矢印や菱形などでも不都合はなく、その大きさも任意である。
【００１５】  さらに本発明の手摺ベルト５に貼り付けられる印刷シート６には、上記方向表示マーク６Ａの間隔Ｐ内に、図２及び図４に想像線の枠で示し、そのイメージを図５に示すように注意文言等の表示部６Ｂが設けられていて、必要に応じて「手摺をつかむこと」、「降り口の左側が改札口」「降り口の右側が地下鉄銀座線」等の安全上の注意文言や案内表示、それに図示しない各種「広告」が印刷によって表示されている。この場合、印刷シート６は、詳細は図示せざるも手摺ベルト５への接着層、印刷が施されるシート層に加え、表面のラミネート層などで構成されるものである。
【００１６】  以上の手摺ベルト５に対する安全、広告施策に加えて本発明では、乗降口床板２Ａと乗降口床板２Ｂの両方、あるいは必要に応じていずれか一方の乗降口床板（２Ａか２Ｂ）の表面には、そのイメージを図５示すように化学合成材種に対して、一例として「手摺をつかむこと」、「降り口の左側が改札口」「降り口の右側が地下鉄銀座線」など安全上の注意文言や案内表示等が、それに図示しない各種「広告」が印刷によって表示された表示シート２ａが貼り付けにより設けられている。
【００１７】  ここで、乗降口床板２Ｂを乗り口側と仮定して具体的構造について説明すれば、欄干基部から長さＬａだけ延設され、その幅Ｗａとで形成されるスペースの主フレーム３内部に各種機械が収納されており、この乗降口床板２Ｂは構造物としての蓋の役目をもって利用者の通行路を形成している。さらに、乗降口床板２Ｂは、表面に滑り止めの凹凸加工を施した一定の長さｍなど複数枚に分割されて乗降口床板２Ｂを構成し、相互間に微少すき間ｇを有する床板２ａａと、それの支持枠２ｂｂが主フレーム３に対して着脱（開閉）自在な構造で設けられている。加えて、こうした構成の乗降口床板２Ｂの表面には、長さＬｂ、幅Ｗｂ、厚さｔの化学合成材種の表示シート２ａが貼り付けにより設けられている。図５の例では一例として、表示シート２ａに、「ＪＲ上野駅、メトロ上野駅」の文字を表示する一方、矢印表示の表示シート２ｂを組み合わせ表示することで「このエスカレーターは上野駅方面に行きますよ」の案内等を行って、地理不案内者の転倒事故に関係する「エスカレーター付近でのモタモタ行動」を解消し「利用者が知りたい・適切な進路案内サービス」と「施設内の通行混雑低減」に寄与する仕組みになっている。また、この構成は、降り口側の乗降口床板２Ａにも適宜応用され、一例としては必要に応じて「手摺をつかむこと」、「降りた左側が改札口」「降りた右側が地下鉄銀座線」など、安全上の注意文言や案内表示等、それに図示しない各種「広告」が印刷によって表示されている。そして、表示シート２ａと表示シート２ｂは、詳細は図示せざるも乗降口床板２Ｂへの接着層（例えばアクリル系接着剤）、表示内容が印刷される基材層（例えば金属粉を含む樹脂材）、摩擦係数が高く滑りにくい性質で全体の表面に貼り付けられる表面のラミネート層（例えばポリカーボネート樹脂材）などの積層体で構成されるものである。なお、それへの記載事項、色彩等は特に制限されるものではない。
【００１８】  以上説明したように、本発明によれば手摺ベルトの移動方向が見易く表示され、乗降口床板においても適切な案内表示が行われるので安全効果、案内効果、広告効果など多岐にわたって総合的な転倒事故防止形エスカレーターを提供することができる。
【産業上の利用可能性】
【００１９】  なお、上記の実施形態は、一般のエスカレーター構造を例に説明したが、隣接踏段同士に段差を有しない動く歩道と通称されるエスカレーターにもそのまま適用することができる。
【符号の説明】
【００２０】１  転倒事故防止形エスカレーター
２Ａ、２Ｂ  乗降口床板
２ａ  表示シート
４  踏段
５  手摺ベルト
５Ａ  平坦部
６  印刷シート
６Ａ  方向表示マーク
６Ｂ  表示部
【図１】
2018165214.tif 000003
【図２】
2018165214.tif 000004
【図３】
2018165214.tif 000005
【図４】
2018165214.tif 000006
【図５】
2018165214.tif 000007
【図６】
2018165214.tif 000008